(57)【要約】      （修正有）【課題】両面表示タイプであっても、照度ムラが発生せず、薄型に構成でき、軽量で安価に製造が可能となり、メンテナンスが容易となる標識装置を提供する。【解決手段】標識装置１１において、一対の短辺枠部、一対の長辺枠部によって開口部が開放され短辺枠部が上下に配置されるとともに一方の長辺枠部が壁面４５に取り付けられる矩形枠状の装置本体と、一方の長辺枠部に取り付けられる開閉フレーム１５と、開閉フレーム１５に保持される第１標識板１７と、他方の開口部に保持される第２標識板と、他方の長辺枠部の内側に設けられ一方の長辺枠部に向かって光が出射される複数のＬＥＤ２１と、下側の短辺枠部の内側に設けられる電源部２３、制御部２５、およびバッテリー２７と、第１標識板１７、第２標識板、および一方の長辺枠部の内面に形成されＬＥＤ２１の光を乱反射させる光拡散処理面と、を設けた。【選択図】図２
0003196400.tif 000002
【実用新案登録請求の範囲】
【請求項１】
一対の平行な短辺枠部および一対の平行な長辺枠部によって表裏が一対の平行な開口部となって開放され前記一対の平行な短辺枠部が上下に配置されるとともに一方の長辺枠部が被固定体に取り付けられることで前記被固定体から片持ち状に突出して支持されかつ内方が光伝播空間となる矩形枠状の装置本体と、
前記一方の長辺枠部に蝶番を介して取り付けられ表裏一方の開口部を開閉自在とする枠状の開閉フレームと、
前記開閉フレームの内側に周縁が保持されて光透過性を有する標識部が形成される第１標識板と、
表裏他方の開口部に周縁が保持されて前記光伝播空間を挟んで前記第１標識板と平行となり光透過性を有する標識部が形成される第２標識板と、
他方の長辺枠部の内側に前記長辺枠部の長手方向に沿って所定間隔で設けられ前記一方の長辺枠部に向かって光が出射される複数のＬＥＤと、
下側の短辺枠部の内側に設けられ前記ＬＥＤを駆動する電源部、制御部、およびバッテリーと、
少なくとも前記第１標識板の内面、前記第２標識板の内面、および前記一方の長辺枠部の内面に形成され光透過性を有するとともに前記ＬＥＤの光を乱反射させる光拡散処理面と、
を具備することを特徴とする標識装置。
【請求項２】
請求項１記載の標識装置であって、
前記標識装置の重心を通る鉛直線が交わる上側の短辺枠部の外面部位に、アイボルトが固定されていることを特徴とする標識装置。
【考案の詳細な説明】
【技術分野】
【０００１】
本考案は、トンネル内などに設置される標識装置に関する。
【背景技術】
【０００２】
従来、トンネル内などに設置される内照式標識（以下、「標識装置」と称す）は、蛍光灯を内蔵していた（特許文献１、図６参照）。近年、標識装置には、球切れなどのメンテナンス性、消費電力の削減等を考慮して、蛍光灯に替わり、ＬＥＤが用いられるようになってきている。また、電力消費が大きい蛍光管や電球の代わりに、面発光する光ファイバを発光部として表示板部の背面に設け、省エネルギ性および経済性を確保しようとする標識装置（内照式表示装置）も知られている（特許文献２参照）。一方、特に高速道路という設置場所での光源体の取替等の作業を簡易、かつ迅速に、しかも安全に行ない得るようにするため、光源体が装着された一対の矩形状カートリッジ体を摺動可能に設けた標識装置（交通標識表示装置）も知られている（特許文献３参照）。
【先行技術文献】
【特許文献】
【０００３】
【特許文献１】特開２０１２−１１２１１９号公報
【特許文献２】特開２０００−７６５９２号公報
【特許文献３】特開平７−２４４４６５号公報
【特許文献４】特開２０１２−１６０３９０号公報
【考案の概要】
【考案が解決しようとする課題】
【０００４】
しかしながら、発熱電球や蛍光灯を用いた標識装置は、光源自体がある程度の大きさを有するため、筐体の厚さや大きさを制限され照射光を限られた被照明領域に均一な照度でかつ高強度で照射することが困難であり、標識部に照度ムラが発生しやすくなる。また、発熱電球や蛍光灯を光源として用いた標識装置は、薄型化が困難となり、重量も大きくなる。一方、面発光する光ファイバや、導光板としてのアクリル板（特許文献４参照）を備えた標識装置も十分な照度を得るには薄型化が困難となり、重量も大きくなる。また、メンテナンス性を良好にするため、矩形状カートリッジ体を摺動可能に設けたりする構造とすれば、複数の支持柱や桟状の内部フレーム等が必要となる。この場合においても、標識装置は、薄型化が困難となり、重量も大きくなり、しかも、構造が複雑となって製品コストが高くなる。
【０００５】
また、表裏両面の標識部を光らせる両面表示タイプの標識装置は、片面表示タイプよりも光源を増やさなければならない。両面表示タイプの標識装置は、光源の背面側に反射板や光拡散板が配置できない場合、照度ムラがより発生しやすくなる。一方、光源の背面に反射面を配置すれば、薄型化、軽量化がより困難となる。このため、両面表示タイプの標識装置は、照度ムラの解消、薄型化、軽量化、コストの低減が更に困難となる。
【０００６】
本考案は上記状況に鑑みてなされたもので、その目的は、両面表示タイプであっても、両標識部に照度ムラが発生せず、薄型、軽量で安価に製造が可能となり、しかも、メンテナンスが容易となる標識装置を提供することにある。
【課題を解決するための手段】
【０００７】
次に、上記の課題を解決するための手段を、実施の形態に対応する図面を参照して説明する。
本考案の請求項１記載の標識装置１１は、一対の平行な短辺枠部３７，３９および一対の平行な長辺枠部３３，３５によって表裏が一対の平行な開口部４１，４３となって開放され前記一対の平行な短辺枠部３７，３９が上下に配置されるとともに一方の長辺枠部３３が被固定体４５に取り付けられることで前記被固定体４５から片持ち状に突出して支持されかつ内方が光伝播空間３１となる矩形枠状の装置本体１３と、
前記一方の長辺枠部３３に蝶番５１を介して取り付けられ表裏一方の前記開口部４１を開閉自在とする枠状の開閉フレーム１５と、
前記開閉フレーム１５の内側に周縁が保持されて光透過性を有する標識部６５が形成される第１標識板１７と、
表裏他方の前記開口部４３に周縁が保持されて前記光伝播空間３１を挟んで前記第１標識板１７と平行となり光透過性を有する標識部６５が形成される第２標識板１９と、
他方の長辺枠部３５の内側に前記長辺枠部３５の長手方向に沿って所定間隔で設けられ前記一方の長辺枠部３３に向かって光が出射される複数のＬＥＤ２１と、
下側の短辺枠部３７の内側に設けられ前記ＬＥＤ２１を駆動する電源部２３、制御部２５、およびバッテリー２７と、
少なくとも前記第１標識板１７の内面、前記第２標識板１９の内面、および前記一方の長辺枠部３３の内面に形成され光透過性を有するとともに前記ＬＥＤ２１の光を乱反射させる光拡散処理面２９と、
を具備することを特徴とする。
【０００８】
この標識装置１１では、長辺枠部３５にＬＥＤ２１を配設したので、短辺枠部３７，３９にＬＥＤ２１を配設する構成に比べ、標識部６５の単位面積当たりのＬＥＤ２１の数を多くすることができる。また、ＬＥＤ２１は、短辺枠部３７，３９に設けられる構成に比べ、光の最終到達距離、すなわち、対向内壁面（この標識装置１１の構成では、一方の長辺枠部３３の内面）までの距離を短くできる。その結果、ＬＥＤ２１は、最終到達面（対向内壁面）での光強度の減衰が抑制される。これにより、標識部６５は、ＬＥＤ２１を短辺枠部３７，３９に設けた場合に比べ、照度ムラが生じにくくなる。そして、開閉フレーム１５は、一方の長辺枠部３３に、蝶番５１によって開閉自在となる。ＬＥＤ２１は、開閉フレーム１５の開閉端側となる他方の長辺枠部３５に配置される。また、電源部２３等は、下側の短辺枠部３７に配置される。このため、ＬＥＤ２１や電源部２３は、開閉フレーム１５を開くと、作業者の至近距離で露出されることになる。
従って、標識装置１１では、標識部６５と平行な背面に、ＬＥＤ２１をマトリクス状に配置したり、標識部６５と平行な導光板を背面側に配置したり、これらを支持するための桟状内部フレームを設けたりする必要がなくなるので、装置本体１３の薄型化が可能となる。また、マトリクス状ＬＥＤ、導光板、桟状内部フレーム等を不要とすることで、部品点数を削減し、構造の簡素化が可能となる。これにより、標識装置１１は、標識部６５に照度ムラが発生せず、軽量化が可能になるとともに、安価に製造が可能となり、しかも、メンテナンスが容易となる。
【０００９】
本考案の請求項２記載の標識装置１１は、請求項１記載の標識装置１１であって、
前記標識装置１１の重心を通る鉛直線が交わる上側の前記短辺枠部３９の外面部位に、アイボルト７７が固定されていることを特徴とする。
【００１０】
この標識装置１１では、アイボルト７７が、重心を通る鉛直線の交わる上側の短辺枠部３９の外面部位に取り付けられている。標識装置１１は、取り付け施工時、アイボルト７７によって吊られると、長辺枠部３３，３５が垂直となった姿勢で吊り持ちされる。これにより、標識装置１１は、壁面などの被固定体４５への取り付け作業が良好となる。アイボルト７７は、標識装置１１の取り付け完了後、壁面などの被固定体４５へワイヤー等を介して固定される。すなわち、アイボルト７７は、標識装置１１の取り付け施工後の落下防止構造にも有効利用される。
【考案の効果】
【００１１】
本考案に係る請求項１記載の標識装置によれば、両面表示タイプであっても、内部を何も無い空間部分とした光伝播空間としたので、両標識部に影が出ることなく且つ照度ムラが発生せず、厚みを薄くして、軽量で、部品点数も削減して安価に製造が可能となり、しかも、メンテナンスが容易となる。
【００１２】
本考案に係る請求項２記載の標識装置によれば、施工性を高めることができると共に、設置後の落下防止効果を得ることができる。
【図面の簡単な説明】
【００１３】
【図１】本考案の実施形態に係る標識装置の斜視図である。
【図２】図１に示した標識装置の正面図である。
【図３】図１に示した標識装置の平断面図である。
【図４】図１に示した標識装置の側面図である。
【図５】図１に示した標識装置の開閉フレーム開放時の平断面図である。
【図６】図１に示した標識装置の開閉フレーム開放時の縦断面図である。
【考案を実施するための形態】
【００１４】
以下、本考案に係る実施形態を図面を参照して説明する。
図１は本考案の実施形態に係る標識装置１１の斜視図、図２は図１に示した標識装置１１の正面図、図３は図１に示した標識装置１１の平断面図、図４は図１に示した標識装置１１の側面図である。
本実施形態に係る標識装置１１は、交通標識や道路標識として使用される両面表示タイプとなる。標識装置１１は、内照式の標識となり、常時点灯される。主にトンネル内など常時暗い場所に設置される。また、地下設備内や夜間の視認性を向上させる標識として使用されてもよい。この他、標識装置１１は、例えば、非常口などに設けられる誘導標識とすることができる。また、標識装置１１は、非常口案内標識、非常電話、非常駐車帯等の避難口誘導標識とすることができる。
【００１５】
標識装置１１は、装置本体１３と、開閉フレーム１５と、第１標識板１７と、第２標識板１９と、ＬＥＤ２１と、電源部２３と、制御部２５と、バッテリー２７と、光拡散処理面２９と、を有する。装置本体１３は、矩形枠状に形成される。矩形状の横縦比（画像の横縦比）は、１：１．５〜１：２．５程度とすることが好ましい。本実施形態に係る標識装置１１は、例えば標識部の横寸法が３３０ｍｍ、縦寸法が７８０ｍｍとなる。従って、横縦比は、１：２．３６となる。これにより、ＬＥＤ２１は、最終到達面（対向内壁面）での光強度の減衰が抑制される。
【００１６】
装置本体１３は、一対の平行な短辺枠部３７，３９および一対の平行な長辺枠部３３，３５によって表裏が一対の平行な開口部４１，４３となって開放される。装置本体１３は、内方が、直方体状の光伝播空間３１となる矩形枠状に形成される。装置本体１３は、一対の平行な短辺枠部３７，３９が、上下に配置される。装置本体１３は、ＳＰＣなどの金属材料からなる。また、これら枠部３３，３５，３７，３９の外表面は指定色、例えば緑色系で塗装される。
【００１７】
ここで、一方の長辺枠部は、吊元側長辺枠部３３と称す。他方の長辺枠部は、開放側長辺枠部３５と称す。下側の短辺枠部は、下側短辺枠部３７と称す。上側の短辺枠部は、上側短辺枠部３９と称す。表裏一方の開口部は、フレーム側開口部４１と称す。表裏他方の開口部は、本体側開口部４３と称す。
【００１８】
装置本体１３は、吊元側長辺枠部３３が被固定体に取り付けられることで、被固定体から片持ち状に突出して支持される。装置本体１３は、被固定体としての例えばトンネルの壁面４５に、金属製の取付金具４７を用いて固定される。また、装置本体１３は、トンネル内等に設置される被固定体としての支柱に取付金具４７を用いて或いは直接固定されてもよい。装置本体１３を取付金具４７に固定するボルト４９や袋ナットは、吊元側長辺枠部３３を貫通するなどして光伝播空間３１に表出することがある。この場合、ボルト４９や袋ナットは、影防止のために白色に塗装されることが好ましい。
【００１９】
開閉フレーム１５は、装置本体１３と同一矩形の枠状に形成される。開閉フレーム１５は、装置本体１３の吊元側長辺枠部３３に、蝶番５１を介して取り付けられる。これにより、開閉フレーム１５は、装置本体１３のフレーム側開口部４１を扉のように開閉自在とする。開閉フレーム１５の開閉角度は、約９０°に設定される。標識装置１１は、装置本体１３に開閉フレーム１５が閉止された状態で、厚み方向（壁面４５に沿う方向）の寸法が１００ｍｍ程度に設定される。開閉フレーム１５は、閉塞状態で、所謂、パッチン錠５３によってロックされる。パッチン錠５３は、開閉フレーム１５に固定されるフック５５（図５参照）と、装置本体１３に固定される錠部５７と、からなる。錠部５７は、係止爪５９と、摘み６１と、からなる。なお、本実施形態でのパッチン錠５３は、コイルバネを備えた係止爪５９とされ、フック５５に対して係止した状態で付勢力を有し、その係止状態を維持し、振動などの外力によって外れにくくなっている。開閉フレーム１５は、ＳＰＣなどの金属材料からなる。
【００２０】
開閉フレーム１５は、装置本体１３のフレーム側開口部４１との間が、パッキン６３によってシールされる。パッキン６３は、防塵・防噴流（防水）の構造を構成する。この構造は、ＪＩＳ規格のＩＰ５５に準じている。防塵・防噴流の構造は、外来固形物の侵入に対応する。すなわち、粉塵が内部に侵入することを防止する。防塵・防噴流の構造は、若干の粉塵の侵入があっても正常な運転を阻害することが無いものであって、塵埃の侵入を完全に防止することはできないが電気機器の所定の動作および安全性を阻害する量の塵埃の侵入は無い。
【００２１】
また、防塵・防噴流の構造は、水の浸入に対応する。すなわち、噴流に対して保護され、あらゆる方向からのノズルによる噴流水によっても有害な影響を及ぼさない。なお、日本工業規格（JIS ）における、電気機械器具の外郭による保護等級（JIS C 0920）として防水や防塵の程度についての規定がある。この規定では、０級から６級までの防塵性能、０級から８級までの防水性能が規定されている。ＩＰ５５相当とは、ここで「防塵、防噴流形」であることを意味する。
【００２２】
第１標識板１７は、開閉フレーム１５の内側に周縁が保持される。第２標識板１９は、第１標識板１７と同面積に設定され、本体側開口部４３の内側に周縁が保持される。第１標識板１７と開閉フレーム１５との間、および第２標識板１９と本体側開口部４３との間は、上記同様のパッキン６３によってシールされる。
【００２３】
第１標識板１７は、光伝播空間３１を挟んで第２標識板１９と平行となり、対向配置とされる。第１標識板１７，第２標識板１９には、光透過性を有する標識部６５が形成される。なお、両標識板１７，１９の各標識部６５は、通常同じ文字・絵柄とされる。第１標識板１７，第２標識板１９は、厚さ４ｍｍ程度の強化ガラスが用いられる。標識部６５は、指定色が例えば緑色系とされ、内面側から塗装される。緑色系は、マンセル記号で例えば５Ｇ４／６となる。標識部６５は、表示される文字・絵柄の最内面を白色の塗膜面とされる。この白色は、透光性のある白色塗料とされる。第１標識板１７，第２標識板１９の背面は、互いに対向し、光拡散処理面２９となる。両光拡散処理面２９は、乱反射面（拡散反射面）となる。各光拡散処理面２９は、それぞれ白色の焼き付け塗装とされる。この光拡散処理面２９については後にも述べる。
【００２４】
ＬＥＤ２１は、開放側長辺枠部３５の内側に、この開放側長辺枠部３５の長手方向に沿って所定間隔、本実施形態では等間隔で直列となって複数設けられる。ＬＥＤ２１は、吊元側長辺枠部３３に向かって光が出射される。ＬＥＤ２１は、ＬＥＤユニット６７として設けられ、すなわち１つのＬＥＤユニット６７に複数のＬＥＤ２１が設けられ、このＬＥＤユニット３７を複数設けて光源を構成している。ＬＥＤ２１は、青色発光ダイオードと、この青色発光ダイオードからの青色光を黄色光に変換する蛍光体とを有する。これにより、ＬＥＤ２１では、青色発光ダイオードから出射された青色光が、蛍光体に吸収されると、蛍光体が黄色光を発し、この黄色光と吸収されなかった青色光とが混ざって、出射光が白色光となる。
【００２５】
ＬＥＤユニット６７は、例えば光束維持率０．７５のものが用いられる。これにより、標識部６５の照度は、白色部平均５００ｌｘ以上、均斉度（最大照度／最小照度）は２以下に設定されている。
【００２６】
電源部２３は、電源ケーブル６９を介して商用電源に接続される。電源部２３は、ＬＥＤユニット６７に発光駆動電力を供給する。この発光駆動回路としては、例えばフルレンジトランス等を用いることができる。発光駆動回路は商用電源に接続し、商用電源からの電力を、直流、交流、又はパルス状の駆動電圧に変換してＬＥＤ２１に供給する。ＬＥＤ２１は、発光駆動回路が制御部２５により制御されることで、定電流駆動でその輝度が設定される。制御部２５は、直流電源部と接続され、照明パターン記憶部からの制御データを読み込むことで、発光駆動回路へ駆動制御信号を送出する。
【００２７】
バッテリー２７は、下側短辺枠部３７にステー７１を介して取り付けられる。バッテリー２７は、停電時などに電源として切り替わる。バッテリー２７は、ＬＥＤ２１の約３０分程度の駆動を可能とする。また、バッテリー２７は、寿命が４〜６年に設定される。この他、装置本体１３の下側短辺枠部３７には、ブレーカー７３や端子台７５が設けられる。
【００２８】
光拡散処理面２９は、光伝播空間３１を包囲する少なくとも第１標識板１７の内面、第２標識板１９の内面、および吊元側長辺枠部３３、上下短辺枠部３７，３９の内面に形成される。光拡散処理面２９は、光透過性を有するとともに、ＬＥＤ２１の光を乱反射させる。光拡散処理面２９は、上記した透光性のある白色塗料によって形成される。白色塗料は、艶消し塗装となる。この艶消し白色塗装は、例えば塗料中に光拡散粒子を混入させている。これにより、塗膜に乱反射面としての機能が付与される。従って、光拡散処理面２９は、光透過性を有するとともに、ＬＥＤ２１の光を乱反射させることができるようになる。光拡散処理面２９からは、均等な強度の光が連続的に反射可能となる。その結果、被照明領域（標識部６５）において、照度分布が均一となり、照度ムラや色ムラが防止される。
【００２９】
また、標識装置１１は、標識装置１１の重心を通る鉛直線が交わる上側短辺枠部３９の外面部位に、アイボルト７７が固定されている。アイボルト７７は、標識装置１１の設置工事時に、吊り下げ用として用いられる。また、アイボルト７７は、設置後には、標識装置１１の落下防止のために使用される。すなわち、アイボルト７７には、ワイヤーの一端が接続される。ワイヤーの他端は、例えば取付金具４７に穿設させたワイヤー固定孔７９や、トンネルの壁面４５などに固定される。
【００３０】
次に、上記した構成の作用を説明する。
図５は図１に示した標識装置１１の開閉フレーム開放時の平断面図、図６は図１に示した標識装置１１の開閉フレーム開放時の縦断面図である。
本実施形態に係る標識装置１１では、長辺枠部にＬＥＤ２１を配設したので、短辺枠部にＬＥＤ２１を配設する構成に比べ、標識部６５の単位面積当たりのＬＥＤ２１の数を多くすることができる。また、ＬＥＤ２１は、短辺枠部に設けられる構成に比べ、光の最終到達距離、すなわち、対向内壁面、この標識装置１１の構成では、吊元側長辺枠部３３の内面までの距離を短くできる。その結果、ＬＥＤ２１は、最終到達面（対向内壁面）での光強度の減衰が抑制される。これにより、標識部６５は、ＬＥＤ２１を短辺枠部に設けた場合に比べ、照度ムラが生じにくくなる。
【００３１】
また、ＬＥＤ２１から出て吊元側長辺枠部３３の内面に直接到達した光は、光拡散処理面２９によって乱反射され、第１標識板１７，第２標識板１９を照射する。また、ＬＥＤ２１から出て第１標識板１７，第２標識板１９を照射した光は、一部が、光拡散処理面２９を透過して第１標識板１７，第２標識板１９に入射し、標識部６５の外へ出る。一方、光拡散処理面２９を透過しなかった光は、光拡散処理面２９によって反射され、光伝播空間３１を通って、吊元側長辺枠部３３の内面や、他方の第２標識板１９、第１標識板１７に照射（乱反射）される。これにより、両面表示タイプの標識装置１１であっても、ＬＥＤ２１からの光が効率的に、しかも均等に照射され、照度ムラが生じにくくなり、両標識板１７，１９の表面にて一様に光り面発光状となる。
【００３２】
そして、開閉フレーム１５は、吊元側長辺枠部３３に、蝶番５１によって開閉自在となる。ＬＥＤ２１は、開閉フレーム１５の開閉端側（戸先側）となる開放側長辺枠部３５に配置される。また、電源部２３等は、下側短辺枠部３７に配置される。このため、ＬＥＤ２１や電源部２３は、開閉フレーム１５を開くと、作業者の至近距離で露出されることになる。
【００３３】
従って、標識装置１１では、標識部６５と平行な背面に、ＬＥＤ２１をマトリクス状に配置したり、標識部６５と平行な導光板を標識板の背面側に配置したり、これらを支持するための桟状内部フレームを設けたりする必要がなくなるので、装置本体１３の薄型化が可能となる。また、マトリクス状ＬＥＤ、導光板、桟状内部フレーム等を不要とすることで、部品点数を削減し、内部の空間には何も無い光伝播空間３１となり、構造の簡素化が可能となる。これにより、標識装置１１は、標識部６５に照度ムラが発生せず、軽量化が可能になるとともに、安価に製造が可能となり、しかも、メンテナンスが容易となる。
【００３４】
また、標識装置１１では、アイボルト７７が、重心を通る鉛直線の交わる上側短辺枠部３９の外面部位に取り付けられている。標識装置１１は、取り付け施工時、アイボルト７７によって吊られると、吊元側長辺枠部３３が壁面４５と平行となった姿勢で吊り持ちされる。これにより、標識装置１１は、壁面４５への取り付け作業が良好となる。アイボルト７７は、標識装置１１の取り付け完了後、取付金具４７や壁面４５へワイヤー等を介して固定される。すなわち、アイボルト７７は、標識装置１１の取り付け施工後の落下防止構造にも有効利用される。その結果、施工性を高めることができるとともに、設置後の落下防止効果を得ることができる。
【００３５】
従って、本実施形態に係る標識装置１１によれば、両面表示タイプであっても、内部の空間には光伝播空間３１のみで、他の部品や部材の存在しない空間部分となってＬＥＤ２１の光が乱反射し、両面の標識部６５に影が出たり照度ムラが発生せず、また、内部を空間部分としたことで薄型に構成でき、軽量で安価に製造が可能となり、しかも、電源などの電装部品を下側短辺枠部３７に集中して配置し、光源であるＬＥＤ２１を開放側長辺枠部３５のみに配設したのでメンテナンスが容易となる。
【符号の説明】
【００３６】
１１…標識装置
１３…装置本体
１５…開閉フレーム
１７…第１標識板
１９…第２標識板
２１…ＬＥＤ
２３…電源部
２５…制御部
２７…バッテリー
２９…光拡散処理面
３１…光伝播空間
３３…一方の長辺枠部（吊元側長辺枠部）
３５…他方の長辺枠部（開放側長辺枠部）
３７…下側の短辺枠部（下側短辺枠部）
３９…上側の短辺枠部（上側短辺枠部）
４１…表裏一方の開口部（フレーム側開口部）
４３…表裏他方の開口部（本体側開口部）
４５…被固定体（壁面）
５１…蝶番
６５…標識部
７７…アイボルト
【図１】
0003196400.tif 000003
【図２】
0003196400.tif 000004
【図３】
0003196400.tif 000005
【図４】
0003196400.tif 000006
【図５】
0003196400.tif 000007
【図６】
0003196400.tif 000008